(57)【要約】      （修正有）【課題】媒体の表面に印字又は記載された情報の読み込み結果の確認において、操作を簡略化して利用者の負担を軽減し、利便性を向上する自動取引装置、自動取引方法及び自動取引プログラムを提供する。【解決手段】表面に記載領域を有する媒体の投入を受け付ける媒体投入口と、媒体投入口に投入された媒体の表面の画像を取得する撮像部と、画像に含まれる記載領域に記載されている文字を認識する文字認識部と、画像及び画像に対応する文字認識結果を含む確認用画面を所定の順序で表示する確認表示部と、確認用画面が表示された時点から、所定の時間が経過したか否かに基づいて、確認用画面に含まれる情報の内容のユーザによる確認が完了したか否かを判定する確認完了判定部と、を有し、確認完了判定部が確認が完了したと判定すると、確認表示部は、当該判定時に表示されている確認用画面の所定の順序における前又は後の確認用画面を表示することを特徴とする。【選択図】図１
2019046290.tif 000002
【特許請求の範囲】
【請求項１】
表面に１以上の記載領域を有する媒体の投入を受け付ける媒体投入口と、
前記媒体投入口に投入された前記媒体の各々の表面の画像を取得する撮像部と、
前記画像の各々に含まれる前記記載領域に記載されている文字を認識して前記画像の各々に対応する文字認識結果を生成する文字認識部と、
前記画像及び前記画像に対応する前記文字認識結果を含む確認用画面の各々を所定の順序で表示する確認表示部と、
前記確認用画面の各々が表示された時点から、所定の時間が経過したか否かに基づいて、前記確認用画面の各々に含まれる情報の内容のユーザによる確認が完了したか否かを判定する確認完了判定部と、を有し、
前記確認完了判定部が前記確認が完了したと判定すると、前記確認表示部は、当該判定時に表示されている確認用画面の前記所定の順序における前又は後の確認用画面を表示することを特徴とする自動取引装置。
【請求項２】
前記確認表示部が前記確認用画面の各々を表示してから前記確認が完了したと判定されるまでの間に、前記確認用画面内の文字認識結果を修正する入力を受け付ける修正受付部を有することを特徴とする請求項１に記載の自動取引装置。
【請求項３】
前記所定の時間を変更する入力を受け付ける時間変更受付部を有することを特徴とする請求項１又は２に記載の自動取引装置。
【請求項４】
前記時間変更受付部は、前記確認表示部が前記確認用画面の各々を表示してから前記確認が完了したと判定されるまでの間に、前記所定の時間を変更する入力を受け付けることを特徴とする請求項３に記載の自動取引装置。
【請求項５】
前記確認表示部は、前記画像が取得された順もしくは前記文字認識結果が生成された順又は前記文字認識結果に含まれる情報に基づいて、前記所定の順序を決めることを特徴とする請求項１乃至４のいずれか１項に記載の自動取引装置。
【請求項６】
前記文字認識結果に含まれる情報は、前記媒体の前記記載領域から読み取られた媒体の種類、媒体の識別番号、日付、金額、氏名のいずれか１以上であることを特徴とする請求項１乃至５のいずれか１項に記載の自動取引装置。
【請求項７】
前記確認表示部は、前記文字認識の精度に基づいて、前記確認用画面を表示する際の表示の態様を変化させることを特徴とする請求項１乃至６のいずれか１項に記載の自動取引装置。
【請求項８】
前記媒体は、有価証券であることを特徴とする請求項請求項１乃至７のいずれか１項に記載の自動取引装置。
【請求項９】
前記媒体は、小切手又は手形であることを特徴とする請求項請求項１乃至８のいずれか１項に記載の自動取引装置。
【請求項１０】
媒体投入口が、表面に１以上の記載領域を有する媒体の投入を受け付ける媒体受付ステップと、
撮像部が、前記媒体投入口に投入された前記媒体の各々の表面の画像を取得する画像取得ステップと、
文字認識部が、前記画像の各々に含まれる前記記載領域に記載されている文字を認識して前記画像の各々に対応する文字認識結果を生成する文字認識ステップと、
確認表示部が、前記画像及び前記画像に対応する前記文字認識結果を含む確認用画面の各々を所定の順序で表示する確認表示ステップと、
確認完了判定部が、前記確認用画面の各々が表示された時点から、所定の時間が経過したか否かに基づいて、前記確認用画面の各々に含まれる情報の内容のユーザによる確認が完了したか否かを判定する確認完了判定ステップと、を含み、
前記確認完了判定ステップにおいて、前記確認完了判定部が前記確認が完了したと判定すると、前記確認表示部は、当該判定時に表示されている確認用画面の前記所定の順序における前又は後の確認用画面を表示することを特徴とする自動取引方法。
【請求項１１】
コンピュータに実行させるプログラムであって、
媒体投入口が、表面に１以上の記載領域を有する媒体の投入を受け付ける媒体受付ステップと、
撮像部が、前記媒体投入口に投入された前記媒体の各々の表面の画像を取得する画像取得ステップと、
文字認識部が、前記画像の各々に含まれる前記記載領域に記載されている文字を認識して前記画像の各々に対応する文字認識結果を生成する文字認識ステップと、
確認表示部が、前記画像及び前記画像に対応する前記文字認識結果を含む確認用画面の各々を所定の順序で表示する確認表示ステップと、
確認完了判定部が、前記確認用画面の各々が表示された時点から、所定の時間が経過したか否かに基づいて、前記確認用画面の各々に含まれる情報の内容のユーザによる確認が完了したか否かを判定する確認完了判定ステップと、を実行させ、
前記確認完了判定ステップにおいて、前記確認完了判定部が前記確認が完了したと判定すると、前記確認表示部は、当該判定時に表示されている確認用画面の前記所定の順序における前又は後の確認用画面を表示することを特徴とする自動取引プログラム。
【請求項１２】
複数の媒体の投入を受け付ける媒体投入口と、
前記媒体投入口に投入された前記複数の媒体に対して、各媒体の少なくとも一つの表面の画像を取得する撮像部と、
前記媒体に記載されている文字を認識した文字認識結果を生成する文字認識部と、
前記画像及び前記文字認識結果を含んだ確認用画面を表示する表示部と、を有し、
所定の条件に合致した場合、前記表示部は、第１の媒体の確認用画面とは異なる第２の媒体の確認用画面を表示することを特徴とする、自動取引装置。
【請求項１３】
前記所定の条件とは、前記第１の媒体の確認用画面が表示されたときから所定の時間が経過している場合であることを特徴とする、請求項１２に記載の自動取引装置。
【請求項１４】
ユーザによる前記表示部に表示されている前記確認用画面に対応する媒体に関する確認が完了したこと又は前記ユーザによる前記複数の媒体に関する確認が完了したことを検知する確認完了検知部をさらに備えることを特徴とする、請求項１３に記載の自動取引装置。
【請求項１５】
前記確認完了検知部は、前記ユーザによる操作により、前記確認用画面に対応する媒体に関する確認が完了したこと又は前記ユーザによる前記複数の媒体に関する確認が完了したことを検知することを特徴とする、請求項１４に記載の自動取引装置。
【請求項１６】
前記ユーザによる操作とは、ユーザによる確認完了ボタンの選択であることを特徴とする、請求項１５に記載の自動取引装置。
【請求項１７】
前記所定の条件とは、前記第１の媒体の確認用画面が表示されたときから所定の時間が経過した場合、または、前記確認完了検知部が前記確認が完了したことを検知した場合であることを特徴とする、請求項１４乃至１６のいずれか１項に記載の自動取引装置。
【請求項１８】
前記確認用画面は、２以上の媒体各々に対応する前記画像及び文字認識結果を有する画面であり、
前記所定の条件に合致した場合、前記表示部は、前記２以上の媒体の確認用画面とは異なる他の１又は２以上の媒体の確認用画面を表示することを特徴とする、請求項１２に記載の自動取引装置。
【発明の詳細な説明】
【技術分野】
【０００１】
本発明は、自動取引装置及び自動取引方法に関する。
【背景技術】
【０００２】
銀行等の金融機関の現金自動預け払い機（ＡＴＭ：Automated Teller Machine）や現金自動支払い機（ＣＤ：Cash Dispenser）等のいわゆる自動取引装置において、取引に必要な情報が種々の態様で担持された種々の媒体が用いられる。当該媒体は、当該態様に応じた方法で、当該媒体に担持された情報が読み取られる。例えば、当該媒体が銀行の通帳である場合には、必要な情報が磁気ストライプに磁気データとして担持される。媒体に担持された情報が当該媒体の表面に印字又は記載された文字である場合には、当該媒体の表面を読み取って、印字又は記載された文字を電子データに変換する必要がある。
【０００３】
例えば、特許文献１には、特定有価証券に記載されたデータを読み取って読み取りデータを生成する読み取り手段と、当該読み取りデータを認識して認識データを生成する認識手段と、を備える特定有価証券入金機が開示されている。
【先行技術文献】
【特許文献】
【０００４】
【特許文献１】特開２０１３−５４７７４第号公報
【発明の概要】
【発明が解決しようとする課題】
【０００５】
上記のような媒体の読取手段において、媒体の表面を読み取って画像データ化した際に、文字のかすれ又は当該媒体の折れ若しくは破れなどによって、良好な読取り結果が得られない可能性がある。また、媒体の表面から読み取られた画像から文字を認識する場合に、誤認識される可能性がある。例えば、媒体の表面に記載された文字が手書きである場合には、誤認識される懸念がある。従って、媒体の表面から読取られた情報を自動取引装置における取引に利用するためには、当該誤認識が放置されることを防止する必要がある。
【０００６】
例えば、自動取引装置の利用者によって当該読み込みの結果の確認が行われる場合に、確認が完了したことを示す操作を当該利用者に要求することが考えられる。そのような操作の要求は、利用者に負担をかけること等が課題として挙げられる。
【０００７】
本発明は、上述の点に鑑みてなされたものであり、媒体の表面に印字又は記載された情報の読み込み結果の確認において、操作を簡略化して利用者の負担を軽減し、利便性を向上させることを目的とする。
【課題を解決するための手段】
【０００８】
本発明の自動取引装置は、表面に１以上の記載領域を有する媒体の投入を受け付ける媒体投入口と、前記媒体投入口に投入された前記媒体の各々の表面の画像を取得する撮像部と、前記画像の各々に含まれる前記記載領域に記載されている文字を認識して前記画像の各々に対応する文字認識結果を生成する文字認識部と、前記画像及び前記画像に対応する前記文字認識結果を含む確認用画面の各々を所定の順序で表示する確認表示部と、前記確認用画面の各々が表示された時点から、所定の時間が経過したか否かに基づいて、前記確認用画面の各々に含まれる情報の内容のユーザによる確認が完了したか否かを判定する確認完了判定部と、を有し、前記確認完了判定部が前記確認が完了したと判定すると、前記確認表示部は、当該判定時に表示されている確認用画面の前記所定の順序における前又は後の確認用画面を表示することを特徴とする。
【０００９】
本発明の自動取引方法は、媒体投入口が、表面に１以上の記載領域を有する媒体の投入を受け付ける媒体受付ステップと、撮像部が、前記媒体投入口に投入された前記媒体の各々の表面の画像を取得する画像取得ステップと、文字認識部が、前記画像の各々に含まれる前記記載領域に記載されている文字を認識して前記画像の各々に対応する文字認識結果を生成する文字認識ステップと、確認表示部が、前記画像及び前記画像に対応する前記文字認識結果を含む確認用画面の各々を所定の順序で表示する確認表示ステップと、確認完了判定部が、前記確認用画面の各々が表示された時点から、所定の時間が経過したか否かに基づいて、前記確認用画面の各々に含まれる情報の内容のユーザによる確認が完了したか否かを判定する確認完了判定ステップと、を含み、前記確認完了判定ステップにおいて、前記確認完了判定部が前記確認が完了したと判定すると、前記確認表示部は、当該判定時に表示されている確認用画面の前記所定の順序における前又は後の確認用画面を表示することを特徴とする。
【００１０】
本発明の自動取引プログラムは、コンピュータに実行させるプログラムであって、媒体投入口が、表面に１以上の記載領域を有する媒体の投入を受け付ける媒体受付ステップと、撮像部が、前記媒体投入口に投入された前記媒体の各々の表面の画像を取得する画像取得ステップと、文字認識部が、前記画像の各々に含まれる前記記載領域に記載されている文字を認識して前記画像の各々に対応する文字認識結果を生成する文字認識ステップと、確認表示部が、前記画像及び前記画像に対応する前記文字認識結果を含む確認用画面の各々を所定の順序で表示する確認表示ステップと、確認完了判定部が、前記確認用画面の各々が表示された時点から、所定の時間が経過したか否かに基づいて、前記確認用画面の各々に含まれる情報の内容のユーザによる確認が完了したか否かを判定する確認完了判定ステップと、を実行させ、前記確認完了判定ステップにおいて、前記確認完了判定部が前記確認が完了したと判定すると、前記確認表示部は、当該判定時に表示されている確認用画面の前記所定の順序における前又は後の確認用画面を表示することを特徴とする。
【００１１】
また本発明の他の自動取引装置は、複数の媒体の投入を受け付ける媒体投入口と、前記媒体投入口に投入された前記複数の媒体に対して、各媒体の少なくとも一つの表面の画像を取得する撮像部と、前記媒体に記載されている文字を認識した文字認識結果を生成する文字認識部と、前記画像及び前記文字認識結果を含んだ確認用画面を表示する表示部と、を有し、所定の条件に合致した場合、前記表示部は、第１の媒体の確認用画面とは異なる第２の媒体の確認用画面を表示することを特徴とする。
【図面の簡単な説明】
【００１２】
【図１】実施例のＡＴＭを含む自動取引システムの構成を示すブロック図である。
【図２】実施例のＡＴＭの構成を示すブロック図である。
【図３】実施例における小切手の例を示す図である。
【図４Ａ】実施例における小切手の例を示す図である。
【図４Ｂ】実施例における小切手の例を示す図である。
【図５Ａ】実施例の表示画面の例を示す模式図である。
【図５Ｂ】実施例の表示画面の例を示す模式図である。
【図６Ａ】実施例の小切手読み込みルーチンの例を示すフローチャートである。
【図６Ｂ】実施例の小切手読み込みルーチンの例を示すフローチャートである。
【図７】実施例のサブルーチンの例を示すフローチャートである。
【図８】実施例のサブルーチンの例を示すフローチャートである。
【図９Ａ】実施例の表示順番号の例を示す表である。
【図９Ｂ】実施例の表示順番号の例を示す表である。
【図９Ｃ】実施例の表示順番号の例を示す表である。
【図１０】実施例の表示設定画面の例を示す図である。
【図１１】本発明における小切手の例を示す図である。
【発明を実施するための形態】
【実施例】
【００１３】
図１は、実施例の自動取引装置としてのＡＴＭ（Automated Teller Machine）１００を含む自動取引システム２００の構成を示している。ＡＴＭ１００は、例えば、金融機関の各支店に設置され、夫々金融機関のホストコンピュータ（図示せず）に接続されている。ＡＴＭ１００は、ネットワークＮＷを介して小切手システムＣＳに接続され、受け付けた情報を小切手システムＣＳに送信する。小切手システムＣＳは、ＡＴＭ１００からの情報に基づいて処理を実行し、当該処理の結果をＡＴＭ１００に供給する。ネットワークＮＷは、例えばＬＡＮ又は専用線を含んでいる。
【００１４】
以下、図１及び図２を参照しつつ、ＡＴＭ１００の構成について説明する。図１に示すように、ＡＴＭ１００は、角柱形状の筐体１０１を有している。当該筐体の頂面Ｘには、紙幣入出口２２、硬貨入出口２３、小切手入出口２６及びユーザインターフェース部２９が設けられている。また、筐体１０１は、頂面Ｘの一辺から突出した突出部Ｙを有している。突出部Ｙには、通帳挿入排出口１８及びカード挿入排出口２０が設けられている。筐体１０１の側面のうち、突出部Ｙが設けられている側は背面側であり、背面側に対してユーザインターフェース部２９が設けられている側は前面側である。ＡＴＭ１００を使用する利用者（以下、ユーザとも称する）は、ＡＴＭ１００の当該前面側に立つことで、ユーザインターフェース部２９からの入力やカード挿入等の操作をすることができる。
【００１５】
次に、図２を参照する。ＡＴＭ１００の動作は、制御部１１によって制御される。制御部１１は、例えばＣＰＵ（Central Processing Unit）であり、演算処理を行う。制御部１１は、例えば、ＡＴＭ１００を操作する利用者が行う取引に関連する処理の実行等の制御を行う。また、制御部１１は、取引カードの読取り、又は現金の入出金に関する処理等の制御を行う。
【００１６】
加えて、制御部１１は、小切手認識部１１Ａを含んでいる。小切手認識部１１Ａは、ＡＴＭ１００において、小切手の表面から取得されたデータに基づいて、小切手の表面に記載された文字をコンピュータ上で扱える文字データへと変換することで文字を認識する。
【００１７】
例えば、小切手認識部１１Ａの機能は、制御部１１が有するＣＰＵによって、文字認識を行うためのプログラムが実行されることで実現されても良い。また、小切手認識部１１Ａの機能は、制御部１１が有する文字認識専用のハードウェア（ＦＰＧＡ等）によって実現されても良い。なお、ここで文字とは、例えば、言葉のみでも良いが、かかる例に限らず、言葉の他に、記号や、または数字なども含んだ総称である。
【００１８】
例えば、小切手認識部１１Ａは、文字を含む画像情報から文字の形状に基づいて文字を識別し、文字コードに変換する光学文字認識（Optical character recognition）のソフトウェアを含んでいる。また、小切手認識部１１Ａは、磁気インクによって印字された文字（ＭＩＣＲ（Magnetic ink character recognition）文字）が磁気ヘッドによって読取られたデータを文字コード化する部分を含んでいても良い。
【００１９】
記憶部１３は、ハードディスク、フラッシュメモリ、ＳＳＤ（Solid State Drive）、ＲＡＭ（Random Access Memory）等の記憶装置である。記憶部１３は、制御部１１の処理に必要なデータを予め記憶し、又、制御部１１の処理において発生するデータを適宜記憶する。例えば、記憶部１３は、文字の認識を実現するプログラムを格納していても良い。上述のように、制御部１１のＣＰＵが記憶部１３に格納された当該プログラムを読み出して事項することで、小切手認識部１１Ａの機能が実現され得る。
【００２０】
通信部１５は、制御部１１の指示に従って外部とのデータの送受信等の通信を行うためのＮＩＣ（Network Interface Card）等のネットワークアダプタである。通信部１５は、例えば、取引制御において生ずるホストコンピュータ（図示せず）との通信及び小切手システムＣＳとの通信を行う。
【００２１】
通帳記帳機１７は、図１に示すようにＡＴＭ１００の前面に設けられた通帳挿入排出口１８に通帳が挿入されると、これを取り込む。通帳が挿入されると、通帳記帳機１７は、制御部１１から示される取引の内容及び取引の実行日時等の情報を当該通帳に書き込む。当該書き込みが終了すると、通帳記帳機１７は、当該通帳を通帳挿入排出口１８から排出する。
【００２２】
カード読取印刷機１９は、図１に示すＡＴＭ１００の前面に設けられたカード挿入排出口２０に取引カードが挿入されると、当該取引カードを取り込んで当該取引カードが保持している情報を読み取る。この読み取りは、取引カードが有するエンボス、磁気ストライプ（ＭＳ）又はＩＣチップを読み取ることで行われる。カード読取印刷機１９は、取引カードから読み取った情報を制御部１１に供給する。
【００２３】
また、カード読取印刷機１９は、制御部１１からカード排出信号が供給された場合には、取り込んだ取引カードをカード挿入排出口２０から排出させる。また、カード読取印刷機１９は、制御部１１から供給された取引明細プリント信号に応じて、当該取引明細プリント信号にて表される取引結果を明細票用紙に印刷する。当該明細票は、取引カードと共にカード挿入排出口２０から送出される。
【００２４】
現金入出機構２１は、制御部１１からの指示に応じて、紙幣又は硬貨が格納されている現金格納部２４から、当該指示にて示される金額に対応した紙幣又は硬貨を取り出して、紙幣入出口２２及び硬貨入出口２３に導出する。また、現金入出機構２１は、ＡＴＭ１００の利用者によって紙幣入出口２２又は硬貨入出口２３に投入された紙幣又は硬貨を取り込み、現金格納部２４に格納する。
【００２５】
小切手入出機構２５は、ＡＴＭ１００の前面に設けられた小切手入出口２６に小切手が挿入されると、当該小切手を取込む。当該小切手が一度に複数枚投入された際には、一枚毎に繰り出して搬送路（図示せず）に導入する。なお、上記小切手の複数枚投入は、例えば、複数枚の小切手からなる小切手束が小切手入出口２６に投入されても良いし、複数枚の小切手が一枚一枚続けて小切手入出口２６に投入されても良い。小切手束が投入された場合、小切手束から１枚ずつ小切手が分離され、上述の通り、搬送路に小切手が搬送される。
【００２６】
例えば、小切手入出口２６には、小切手入出口２６における小切手の有無を検出するセンサが設けられている。また、小切手入出機構２５は、制御部１１の指示に従って、小切手入出口２６から小切手を排出する。
【００２７】
図３は、ＡＴＭ１００において取り扱われる小切手の一例について示している。図３において、未使用の小切手３００の表面３０１に記載されている事項の例が示されている。表面３０１には、銀行名等の金融機関に関する情報が記載されている。また、表面３０１には、金額欄３０２、受取人欄３０３、日付欄３０４及び署名欄３０５等の所定の領域に記入欄が設けられている。また、表面３０１には、ＭＩＣＲ（Magnetik ink character recognition）文字（磁気インク文字）が印字された領域であるＭＩＣＲコードライン３０６が設けられている。当該ＭＩＣＲコードライン３０６には、小切手の識別番号等の情報が含まれている。
【００２８】
図４Ａは、日本国内でしばしば使用される種類の、振出の内容が記入された小切手である小切手４００の一例である。小切手４００の表面４０１において、金額欄４０２には金額が、受取人欄４０３には受取人の氏名が、日付欄４０４には振出日の日付が、及び署名欄４０５には振出人の氏名が各々記載されている。各々の記入欄に記載されている文字は、手書きであっても良く、印字されていても良い。例えば金額欄４０２には、チェックライタを使用して印字されていても良い。また、表面４０１には、図３に示した表面３０１と同様に、ＭＩＣＲ文字が印字されている。
【００２９】
図４Ｂは、小切手４００の裏面４１１の例を示している。裏面４１１には、受取人欄４０３に氏名が記載されている受取人が小切手４００を譲渡した場合に、譲渡先の氏名又は名称が記載されている。
【００３０】
再び図２を参照する。撮像部２７は、カメラ又はスキャナ等の撮像装置である。撮像部２７は、小切手入出口２６に投入された小切手が搬送される搬送路（図示せず）に接続され、当該搬送路を経由して撮像部２７に導入された小切手の表面を撮像して画像を取得する。撮像部２７は、小切手の表面のうち主として使用される表側の面及び／又は予備的に使用される裏側の面を撮像する。また、撮像部２７は、ＭＩＣＲ文字を読み取る磁気ヘッド等の装置を含んでいても良い。
【００３１】
撮像部２７は、取得した画像の画像データを制御部１１の小切手認識部１１Ａに供給する。小切手認識部１１Ａは、当該画像データに基づいて、当該画像に含まれる文字を認識する文字認識処理を実行して文字データに変換する。例えば、小切手認識部１１Ａは、図４Ａに示した金額欄４０２、受取人欄４０３、日付欄４０４、及び４０５等の小切手に文字が記載される際の特定の記載領域（以下、フィールドとも称する）を当該画像データから抽出して、当該フィールド内の文字の形状に基づいて文字データを生成する。加えて、小切手認識部１１Ａは、ＭＩＣＲ読み取りデータを文字コードに変換しても良い。文字認識の結果である文字認識結果には、小切手に記載されている記載領域から日付、金額、氏名等の情報が読み取られた結果が含まれる。
【００３２】
撮像部２７は、ＡＴＭ１００に２以上の小切手が投入された場合には、当該小切手の各々の画像を取得し、画像が取得された順に小切手及び対応する画像データに識別番号（読み込みＩＤ）を付する。そして、小切手認識部１１Ａは、読み込みＩＤの各々に対応する画像に文字認識結果を関連づける。例えば、複数の小切手の文字認識処理が実行されると、日付、金額、氏名等の文字認識結果に含まれる情報が各々読み込みＩＤに対応したデータテーブルが生成される。
【００３３】
ユーザインターフェース部２９は、図１に示すようにＡＴＭ１００の前面に設けられている。ユーザインターフェース部２９は、表示部としてのディスプレイ２９Ａと、ディスプレイ２９Ａの表示面を覆う入力部としてのタッチパッド２９Ｂとを含む。
【００３４】
ディスプレイ２９Ａは、制御部１１の指示に応じて各種の操作画面又はメッセージ等を含む画面（ユーザが取引種別を選択し得る取引選択画面を含む）を表示する表示器（例えば、液晶表示装置）からなる。また、ディスプレイ２９Ａは、制御部１１による制御に従って、小切手の確認用画面を表示する。当該確認用画面には、撮像部２７によって取得された１の小切手の表面の画像及び、小切手認識部１１Ａによる当該画像に対応する文字認識結果の表示が含まれる。ディスプレイ２９Ａは、当該画像の各々に対応する確認用画面を所定の順序で表示する。
【００３５】
タッチパッド２９Ｂは、ＡＴＭ１００の利用者がディスプレイ２９Ａに表示された内容に対応した領域に触れると、当該表示された内容に対応した操作信号を制御部１１に供給する、例えば感圧式又は静電式のタッチパッドである。また、タッチパッド２９Ｂは、ディスプレイ２９Ａに表示された確認用画面に対する修正及び変更等の入力を受け付ける。
【００３６】
図５Ａは、ユーザインターフェース部２９に表示される確認用画面の一例である確認用画面５００を示している。確認用画面５００において、中央の破線よりも左側には、小切手の画像データに基づく表側の面の画像５０２及び裏側の面の画像５０３が示されている。当該中央の破線よりも右側には、一度に投入された小切手に対応する各々の画像うち、所定の順序における何番目に表示されている画像であるかを示す表示順番号欄５０４が設けられている。
【００３７】
図５Ａにおいて、表示順番号欄５０４に示された「５／２０」の右側の数字は小切手の投入枚数を示し左側の数字は表示順を示している。すなわち、表示順番号欄５０４は、２０枚投入されたうちの所定の表示順が５番目である小切手の読取り結果が表示されている例を示している。当該所定の表示順は、例えば、小切手が読み込まれた順である読み込み順である。
【００３８】
また、中央の破線よりも右側には、文字認識の結果生成された文字データに基づく文字が表示されている。具体的には、金額５０５、通貨単位５０６、受取人５０７、日付５０８、振出人５０９が表示されている。確認用画面５００の下方には、当該画面の修正を受け付ける「修正」ボタン５１０、当該画面の確認が完了したことを受け付ける「確認完了」ボタン５１２が表示されている。
【００３９】
さらに、確認用画面５００内には、右矢印ボタン５１３及び左矢印ボタン５１４が表示されている。右矢印ボタン５１３及び左矢印ボタン５１４は、確認用画面を表示する際の速度、すなわち、対応する小切手１枚あたりの表示を継続する時間の変更を受け付ける。例えば、右矢印ボタン５１３又は左矢印ボタン５１４を押す回数によって、当該速度が段階的に変更される。また、例えば、右矢印ボタン５１３は速度を増大させる変更を受け付け、左矢印ボタン５１４は、速度を減少させる変更を受け付ける。
【００４０】
また、右矢印ボタン５１３及び左矢印ボタン５１４は、表示する順序の変更を受け付けても良い。例えば、当該表示する順序の変更は、予め定められた条件で左矢印ボタン５１４が押された場合に受け付けられても良い。例えば、左矢印ボタン５１４によって速度の変更が受け付けられる場合に、左矢印ボタン５１４が一定の回数以上押された場合又は最小の速度に設定されて更に左矢印ボタン５１４が押された場合に、当該表示する順序の逆順への変更が受け付けられても良い。
【００４１】
確認完了判定部としての制御部１１は、１枚の小切手について確認用画面が表示された際に、所定の条件に合致した場合に、確認が完了したと判定し、ディスプレイ２９Ａにおける表示を次の表示順の画面に移行させても良い。例えば、当該所定の条件は、所定の時間が経過したことであっても良い。
【００４２】
例えば、制御部１１は、１枚の小切手について確認用画面が表示された時点から、所定の時間が経過することで、確認が完了したと判定しても良い。例えば、図５Ａにおいて、２０枚投入されたうちの表示順が５番目（「５／２０」）である確認用画面５００の表示がなされてから所定の時間経過後に、６番目（「６／２０」）の確認用画面を表示しても良い。
【００４３】
また、当該所定の条件は、ユーザによる入力操作である確認完了操作をＡＴＭ１００が受け付けたことであっても良い。例えば、制御部１１は、図５Ａに示す画面において、確認完了ボタン５１２が押下されたことによって、確認が完了したと判定しても良い。
【００４４】
図５Ｂは、ユーザインターフェース部２９に表示された修正画面の一例である修正画面５２０を示している。修正画面５２０において、中央の破線よりも左側には、確認用画面と同様の小切手の画像である表側の面の画像５０２及び裏側の面の画像５０３が示されている。当該中央の破線よりも右側には、文字認識結果に対する修正の入力を受け付ける修正受付欄５３０が表示されている。
【００４５】
修正受付欄５３０には、文字認識の結果生成された文字データに基づく文字の各々が修正の入力に応じて変更可能に表示されている。具体的には、金額欄５２５、通貨単位欄５２６、受取人欄５２７、日付欄５２８、振出人欄５２９の各々に、修正可能に文字が表示されている。
【００４６】
修正画面５２０の下方には、再度小切手の撮像が必要となった場合に使用する「再スキャン」ボタン５３１、当該小切手の返却が必要である場合に使用する「返却」ボタン５３２、及び当該画面の修正が完了した場合に使用する「修正完了」ボタン５３３、が表示されている。
【００４７】
例えば、当該確認用画面は、ＡＴＭ１００の利用者によって確認がなされる。例えば、当該利用者は、小切手の表面を撮像した画像（小切手画像）について、読み取り状態によって文字が判別できない等の不具合がないかについて確認する。
【００４８】
さらに、当該利用者は、小切手認識部１１Ａによって生成された文字情報に基づく文字（認識文字）について、小切手画像と比較して違いが無いか、又は認識文字中の金額及び氏名等の表示内容に間違いが無いかを確認する。例えば、小切手画像と比較して違いがあった場合には、修正受付欄５３０に入力を行い、終了後に「修正完了」ボタン５３３を押すことで、文字認識結果を修正できる。例えば、小切手画像と比較して違いが無くても、認識文字中の表示内容に間違いがあった場合には、「返却」ボタンを押すことで、当該小切手については取引を行わないこととすることができる。
【００４９】
小切手一時保留部３１は、撮像部２７において画像が取得された小切手が一時的に集積、滞留される領域である。小切手一時保留部３１は、小切手一時保留部３１に一時的に保管された小切手のうち、ＡＴＭ１００において格納される小切手を制御部１１の指示に従って排出する。また、小切手一時保留部３１は、ＡＴＭ１００において格納されない小切手を制御部１１の指示に従って、小切手入出口２６に導出する。
【００５０】
例えば、当該格納される小切手は、「確認完了」ボタン５１２又は「修正完了」５３３ボタンが押された小切手である。また、例えば、当該格納される小切手は、確認用画面が表示されて所定の時間が経過した小切手である。例えば、当該格納されない小切手は、「返却」ボタン５３２が押された小切手であっても良い。
【００５１】
小切手格納部３３は、小切手を収納する１つ以上のカセットを含むカセット群であり、夫々のカセットは、ＡＴＭ１００に対して着脱自在に設けられている。小切手格納部３３は、小切手一時保留部３１から排出された小切手を格納する。例えば、小切手格納部３３は、確認用画面の確認が完了した小切手のみを格納する。
【００５２】
撮像部２７から画像データが供給されると、小切手認識部１１Ａによって文字認識が実行され、小切手の各々に対応する文字認識データが生成される。制御部１１は、画像データ及び当該画像データの各々に対応する文字認識の結果をユーザインターフェース部２９のディスプレイ２９Ａに表示させる。また、制御部１１は、所定の基準に従って、ディスプレイ２９Ａの閲覧による確認が完了したか否かを判定する。さらに、制御部１１は、タッチパッド２９Ｂを介した入力によって確認用画面の内容に対する修正を受け付ける。確認が完了したと判定された小切手は小切手格納部３３に格納される。確認が完了していないと判定された小切手は、小切手入出機構２５から排出される。  
【００５３】
［小切手読み込みルーチン］
図６Ａ及び図６Ｂは、ＡＴＭ１００において実行される小切手読み込みルーチンＲ１を示している。制御部１１は、例えば、電源が投入されると、小切手読み込みルーチンＲ１を実行する。なお、ＡＴＭ１００に人感センサ等を設けて、顧客がＡＴＭ１００に近づいたことが検出された際に小切手読み込みルーチンＲ１が実行されるようにしてもよい。
【００５４】
ステップＳ１１において、制御部１１は、ディスプレイ２９Ａに取引種別選択画面を表示させる。当該取引種別選択画面は、利用者が希望する取引の選択入力を当該利用者に促す表示であり、例えば「お預入れ」、「お引出し」等の選択ボタンの表示を含む。当該選択ボタンには、小切手を取り扱う取引であることを示す「小切手入金取引」が含まれる。
【００５５】
制御部１１は、ステップＳ１１の実行後、タッチパッド２９Ｂを介した取引種別の選択入力によって「小切手入金取引」が選択されたか否かを判定する（ステップＳ１２）。制御部１１は、ステップＳ１２において、「小切手入金取引」が選択されていないと判定する（ステップＳ１２：ＮＯ）と、小切手読み込みルーチンＲ１を終了し、再び小切手読み込みルーチンＲ１を実行する。
【００５６】
制御部１１は、ステップＳ１２において、「小切手入金取引」が選択されたと判定する（ステップＳ１２：ＹＥＳ）と、カードの挿入及び暗証番号の入力を促す画面をディスプレイ２９Ａに表示させる（ステップＳ１３）。
【００５７】
制御部１１は、ステップＳ１３の実行後、カードの挿入及び暗証番号の入力がなされ、かつ、暗証番号が当該挿入されたカードに対応する暗証番号と一致するか否かを判定する（ステップＳ１４）。
【００５８】
制御部１１は、ステップＳ１４において暗証番号が一致しないと判定した場合（ステップＳ１４：ＮＯ）、小切手読み込みルーチンＲ１を終了し、再び小切手読み込みルーチンＲ１を実行する。例えば、制御部１１は、カードの挿入及び／又は暗証番号の入力が、所定の時間が経過してもなされない場合においても、暗証番号が一致しないと判定しても良い。
【００５９】
制御部１１は、暗証番号が一致すると判定する（ステップＳ１４：ＹＥＳ）と、媒体としての小切手の小切手入出口２６への投入を要求する画面をディスプレイ２９Ａに表示させる（ステップＳ１５）。制御部１１は、ステップＳ１５の実行後、小切手が投入されたか否かを判定する（ステップＳ１６）。ステップＳ１５及びステップＳ１６において、小切手入出機構２５及び小切手入出口２６は、媒体の投入を受け付ける媒体投入口として機能する。
【００６０】
制御部１１は、ステップＳ１６において所定の時間を経過しても小切手が投入されていないと判定する（ステップＳ１６：ＮＯ）と、ステップＳ１５に戻り、小切手の投入を要求する画面を再度表示させる。
【００６１】
図６Ｂに示すように、制御部１１は、ステップＳ１６において、小切手が投入されたと判定する（ステップＳ１６：ＹＥＳ）と、確認用データ生成サブルーチンを実行する（ステップＳ１７）。ステップＳ１７において、投入された小切手の各々について読み込みが実行される。すなわち、当該投入された小切手の表面に記載された文字が読み取られて電子データが取得され、コンピュータ上で扱える文字データに変換される。
【００６２】
より詳細には、ステップＳ１７において、小切手の表面を撮像した画像の電子データである画像データが生成され、さらに、当該画像データに基づいて文字認識が実行され、文字データが生成される。また、ステップＳ１７において、ＭＩＣＲ文字を読取って文字コード化した文字データが生成されても良い。また、ステップＳ１７において、小切手が読み込まれた順に読み込みＩＤが付与され、当該小切手の各々に対応する電子データが関連付けられて、例えば記憶部１３に記憶される。
【００６３】
制御部１１は、ステップＳ１７の実行後、ステップＳ１７において生成されたデータに基づく画像である確認用画面を表示する際の表示設定に関する表示設定画面を表示する（ステップＳ１８）。制御部１１は、ステップＳ１８において、表示設定に関する条件の選択又は変更の入力を受け付ける。当該表示設定に関する条件には、確認用画面を表示する所定の時間（表示する速度）が含まれる。ステップＳ１８において、ユーザインターフェース部２９は、時間変更受付部として機能する。
【００６４】
例えば、ステップＳ１８において、確認用画面を表示する速度又は順序等の表示に関する設定の選択又は入力が受け付けられる。例えば、当該表示設定画面には、初期設定として推奨の設定条件が表示されても良く、利用者は、当該初期設定の変更が必要な場合にのみ、選択又は入力を行うことができる。また、表示設定画面の表示は、ステップＳ１８以外の他のタイミングでなされても良く、複数のタイミングで行われても良い。
【００６５】
制御部１１は、ステップＳ１８の実行後、表示設定が終了したか否かを判定する（ステップＳ１９）。例えば、制御部１１は、ステップＳ１９において、表示設定の選択又は入力がなされた際に、「決定」ボタン等の選択又は入力が完了したことを示すボタンが押されたか否かによって、表示設定が終了したか否かを判定しても良い。また、ステップＳ１９において、所定の時間が経過することによって、表示設定が終了したと判定しても良い。
【００６６】
制御部１１は、ステップＳ１９において、表示設定が終了していないと判定する（ステップＳ１９：ＮＯ）と、ステップＳ１８に戻り、表示設定画面を継続して表示する。制御部１１は、ステップＳ１９において、表示設定が終了したと判定する（ステップＳ１９：ＹＥＳ）と、小切手表示サブルーチンを実行する（ステップＳ２０）。ステップＳ２０において、小切手の画像及び文字認識結果を含む確認用画面が表示され、確認が完了したか否かが判定される。
【００６７】
制御部１１は、ステップＳ２０の実行後、確認用画面の確認が完了した小切手を小切手格納部３３に格納し（ステップＳ２１）、当該確認が完了したと判定した小切手に対応する文字認識結果を含むデータである小切手データを送信する（ステップＳ２２）。ステップＳ２２において、小切手システムＣＳに小切手データを含む電文が送信される。
【００６８】
制御部１１は、ステップＳ２２の実行後、カードの排出等の終了処理を実行し（ステップＳ２３）、小切手読み込みルーチンＲ１を終了する。なお、ステップＳ２３において、ステップＳ２１で格納されなかった小切手、すなわち、確認が完了していないと判定された小切手を小切手入出口２６から排出しても良い。  
【００６９】
［確認用データ生成サブルーチン］
図７を参照し、上述した小切手読み込みルーチンＲ１中のステップＳ１７において実行される、確認用データ生成サブルーチンＲ２について説明する。制御部１１は、小切手入出口２６から小切手が投入されると、１枚の小切手を小切手入出口２６から導出させて撮像部２７に搬送させる（ステップＳ３１）。
【００７０】
制御部１１は、ステップＳ３１の実行後、撮像部２７に搬送された小切手の表面の画像を撮像部２７に取得させる（ステップＳ３２）。撮像部２７は、ステップＳ３２において、小切手の表面のうち主として使用される表側の表面（例えば、図４Ａ）及び／又は予備的に使用される裏側の表面（例えば、図４Ｂ）の画像を取得して電子データとして制御部１１に供給する。
【００７１】
また、撮像部２７は、ステップＳ３２において、小切手の表面に印字されたＭＩＣＲ文字を読み取り、対応する画像データと共にＭＩＣＲ読取データを制御部１１に供給しても良い。また、撮像部２７は、小切手と、当該小切手から取得された電子データとを関連付けて、読み込み順に識別番号（読み込みＩＤ）を付与しても良い。
【００７２】
制御部１１は、ステップＳ３２の実行後、画像の取得が終了した小切手を小切手一時保留部３１に搬送させる（ステップＳ３３）。ステップＳ３３において、撮像部２７は、搬送路を介して当該小切手を小切手一時保留部３１に搬送する。
【００７３】
制御部１１は、ステップＳ３３の実行後、小切手入出口に小切手が残っているか否かを判定する（ステップＳ３４）。制御部１１は、ステップＳ３４において、小切手が残っていると判定する（ステップＳ３４：ＹＥＳ）と、ステップＳ３１に戻り、さらに１枚の小切手を小切手入出口２６から導出させて撮像部２７に搬送させる。
【００７４】
制御部１１は、ステップＳ３４において、小切手が残っていないと判定する（ステップＳ３４：ＮＯ）と、小切手認識部１１Ａを制御して、撮像部２７からの画像データを含む電子データを文字データへと変換する小切手認識処理を実行し（ステップＳ３５）、確認用データ生成サブルーチンＲ２を終了する。
【００７５】
例えば、ステップＳ３５において、画像データに対してＯＣＲ処理が実行され、文字データが生成される。加えて、ステップＳ３５において、ＭＩＣＲ読取データの文字コードへの変換処理が実行されて、文字データが生成されても良い。ステップＳ３５において、小切手認識部１１Ａは、文字認識部として機能する。  
【００７６】
［小切手表示サブルーチン］
図８を参照し、小切手読み込みルーチンＲ１中のステップＳ２０において実行される小切手表示サブルーチンＲ３について説明する。制御部１１は、表示設定が終了すると、小切手表示サブルーチンＲ３を開始し、小切手の各々に対応する電子データに基づいて、確認用画面の表示を行う際の順序を示す整数値である表示順番号Ｋの初期値を１（Ｋ＝１）に設定する（ステップＳ４１）。例えば、当該表示順番号Ｋは、小切手が読み込まれた順（読み込み順）である。以下、表示順番号Ｋは読み込み順であり、確認用画面は小切手が読み込まれた順と同じ順番に、すなわち昇順に表示される場合について説明する。
【００７７】
制御部１１は、ステップＳ４１の実行後、表示順番号Ｋに対応する確認用画面をディスプレイ２９Ａに表示させる（ステップＳ４２）。図５Ａに示したように、ステップＳ４２において表示される確認用画面には、画像データに基づく小切手を撮像した画像及び文字認識の結果生成した文字データに基づく文字の表示が含まれる。また、確認用画面には、確認の結果、修正が必要となった際に修正を受け付ける「修正」ボタン、表示の速度及び表示の順序の変更を受け付けるボタン（右矢印ボタン５１３、左矢印ボタン５１４）が含まれる。ステップＳ４２において、ディスプレイ２９Ａは、確認表示部として機能する。
【００７８】
制御部１１は、ステップＳ４２の実行後、確認用画面において「修正」が選択されたか否かを判定する（ステップＳ４３）。制御部１１は、ステップＳ４３において、「修正」が選択されていないと判定する（ステップＳ４３：ＮＯ）と、当該確認用画面が表示されてから所定の時間が経過したか否かを判定する（ステップＳ４４）。当該所定の時間は、確認用画面において表示の速度の変更を受け付けるボタンが押された場合には、変更後の速度における表示時間となる。
【００７９】
制御部１１は、ステップＳ４４において、所定の時間が経過していないと判定する（ステップＳ４４：ＮＯ）と、ステップＳ４２に戻り、確認用画面を継続して表示する。制御部１１は、ステップＳ４４において、所定の時間が経過したと判定する（ステップＳ４４：ＹＥＳ）と、現在表示している確認画面の確認が完了したと判定し、ステップＳ４５に移り、Ｋの値に１を加えた値を新たなＫとする、すなわち、Ｋの値をインクリメントする。制御部１１は、ステップＳ４４において、確認完了判定部として機能する。
【００８０】
なお、制御部１１は、ステップＳ４２の実行後、ステップＳ４４において、所定の時間が経過したと判定するまでの間に、ユーザによる操作がなされた場合に、ステップＳ４５に移ることとしても良い。この場合において、制御部１１は、確認完了検知部として機能する。例えば、ステップＳ４２の実行後、ステップＳ４４において、所定の時間が経過したと判定されるまでの間に、ユーザによって確認完了ボタン５１２（図５Ａ）が押下された場合に、ステップＳ４５が実行されても良い。
【００８１】
制御部１１は、ステップＳ４５の実行後、Ｋの値が、表示順の最大の値である（すなわち、当該小切手読み込みルーチンに係る小切手の枚数である）Ｎの値よりも大きい（Ｋ＞Ｎ）か否かを判定する（ステップ４６）。
【００８２】
制御部１１は、ステップＳ４６において、Ｋの値が、Ｎの値と同じか又はＮより小さい（Ｋ≦Ｎ）と判定する（ステップＳ４６：ＮＯ）と、ステップＳ４２に戻り、表示順がＫ番目である確認用画面を表示させる。ステップＳ４６に続くステップＳ４２において、それまで表示されていた確認用画面に対応するＫの値よりも１つ大きいＫの値に対応する確認用画面、すなわち、次の表示順に対応する確認用画面が表示される。
【００８３】
制御部１１は、ステップＳ４３において、「修正」が選択されたと判定する（ステップＳ４３：ＹＥＳ）と、修正画面を表示する（ステップＳ４７）。制御部１１は、ステップＳ４７において、図５Ｂに示したような修正画面を表示させる。ステップＳ４３及びステップＳ４７において、ユーザインターフェース部２９は、修正受付部として機能する。当該修正受付部は、確認用画面が表示されてから当該確認用画面に含まれる情報のユーザによる確認が完了したと判定されるまでの間に、当該確認用画面内の文字認識結果を修正する入力を受け付ける。
【００８４】
制御部１１は、ステップＳ４７の実行後、「返却」が選択されたか否かを判定する（ステップＳ４８）。制御部１１は、ステップＳ４８において、「返却」が選択されたと判定する（ステップＳ４８：ＹＥＳ）と、ステップＳ４５に移り、Ｋの値をインクリメントする。
【００８５】
制御部１１は、ステップＳ４８において、「返却」が選択されていないと判定する（ステップＳ４８：ＮＯ）と、修正が完了したか否かを判定する（ステップＳ４９）。例えば、制御部１１は、ステップＳ４９において、「修正完了」ボタンが押された場合に修正が完了したと判定する。また、制御部１１は、ステップＳ４９において、修正画面が表示されてから所定の時間が経過した場合に、修正が完了したと判定しても良い。制御部１１は、ステップＳ４８及びステップＳ４９において、確認完了判定部として機能しても良い。
【００８６】
制御部１１は、ステップＳ４９において、修正が完了していないと判定する（ステップＳ４９：ＮＯ）と、ステップＳ４７に戻り、修正画面を継続して表示する。制御部１１は、ステップＳ４９において、修正が完了したと判定する（ステップＳ４９：ＹＥＳ）と、ステップＳ４５に移り、Ｋの値をインクリメントする。
【００８７】
制御部１１は、ステップＳ４６において、Ｋの値が、Ｎの値よりも大きいと判定する（ステップＳ４６：ＹＥＳ）と、小切手表示サブルーチンを終了する。なお、一度の取引において投入された全ての小切手について、最低１回は確認用画面の表示がなされなければ小切手表示サブルーチンが終了しないこととしてもよい。これによって、確認漏れを防止することができる。
【００８８】
また、制御部１１は、ステップＳ４６において、Ｋの値が、Ｎの値よりも大きいと判定（ステップＳ４６：ＹＥＳ）した後に、「確認完了」ボタン５１２が押されることで、小切手表示サブルーチンを終了しても良い。この際、制御部１１は、一度の取引において投入された全ての媒体、例えば本実施例においては小切手、に関して、ユーザによる確認用画面の確認が完了したことを検知する。すなわち、この際、制御部１１は、ユーザによる１又は複数の媒体に関する確認が完了したことを検知する確認完了検知部として機能する。なお、当該確認の完了は、ユーザによる操作によって検知され得る。例えば、ユーザによる操作である確認完了操作は、上記したようなユーザによって「確認完了」ボタン５１２が押される操作であり得る。
【００８９】
なお、確認用画面を、表示順番号Ｋについて昇順に表示する例について説明したが、降順に表示しても良い。その場合には、制御部１１は、上述したステップＳ４５において、Ｋの値から１を引いた値を新たなＫとする、すなわち、Ｋの値をディクリメントする。また、ステップＳ４５までのフローにおいて、表示の順序の変更を受け付けるボタン（例えば、図５Ａ、左矢印ボタン５１４）が押された場合には、制御部１１は、ステップＳ４５において、変更後の条件に従って、Ｋの値をディクリメントしても良い。制御部１１は、ステップＳ４５において、Ｋの値をインクリメント又はディクリメントして表示の所定の順序における前又は後の確認用画面を表示させることができる。
【００９０】
以上、詳細に説明したように、本実施例のＡＴＭ１００及び自動取引システム２００によれば、小切手を投入した際に、小切手の各々の表面の画像及び記載されている文字を読み込み、当該読み込みの結果である画像及び文字認識結果を含む確認用画面を所定の順序で自動的に表示し、さらに、所定の時間が経過する毎に、当該所定の順序における前又は後の確認用画面を表示することができる。また、確認用画面の内容について、必要な場合にのみ修正を受け付けることができる。従って、利用者が小切手を使用して取引を実行する際に、当該小切手の各々の読み込み結果を自動的に効率良く呈示することができ、利便性を向上することができる。さらに、表示の順序及び速度等の設定を利用者の要求に応じて変更することができ、利用者の確認作業の効率を向上させることができる。
【００９１】
なお、実施例において、表示順番号Ｋが小切手の読み込み順である場合について説明したが、この限りではない。例えば、表示順番号Ｋは、読み込まれた小切手を、表面に記載された日付の早い順（例えば、日付順の昇順）又は遅い順（例えば、日付順の降順）に並べ変えた番号であっても良く、表面に記載された金額の大きい順（例えば、金額順の昇順）又は小さい順（例えば、金額順の降順）に並べ変えた番号であっても良い。
【００９２】
図９Ａ−図９Ｃは、ＡＴＭ１００に７枚の小切手が投入された場合において、「読み込みＩＤ」の各々に対応する表示順番号Ｋの例を示す表である。「読み込みＩＤ」の列には、小切手が撮像部２７によって読み込まれた順に１から７までの番号が示されている。
【００９３】
図９Ａにおいて、「表示順番号＝Ｋ」の列は、表示順番号Ｋの値を読み込み順と同じ順序を「昇順」として設定した例について示している。
【００９４】
図９Ｂは、日付の早い順を昇順とした表示順の例を示している。図９Ｂにおいて、日付の最も早い小切手は、読み込みＩＤ＝５の小切手であり、表示番号Ｋ＝１が割り当てられている。また、日付の最も遅い小切手は、読み込みＩＤ＝４の小切手であり、表示番号Ｋ＝７が割り当てられている。
【００９５】
図９Ｃは、金額の大きい順を昇順とした表示順の例を示している。図９Ｃにおいて、金額の最も大きい小切手は、読み込みＩＤ＝３の小切手であり、表示番号Ｋ＝１が割り当てられている。また、金額の最も小さい小切手は、読み込みＩＤ＝６の小切手であり、表示番号Ｋ＝７が割り当てられている。
【００９６】
図１０は、ユーザインターフェース部２９に表示されて表示設定の変更を受け付ける表示設定画面の一例を示す。図１０に示す表示設定画面６００において、「１．表示速度」は、小切手１枚当たりの確認用画面の表示を継続する表示時間を設定する項目である。速度１、速度２、速度３の３段階の速度について、表示時間が夫々１０秒、５秒、３秒と設定されている。当該表示時間は、変更の入力を受け付けても良く、選択の入力のみを受け付けても良い。
【００９７】
また、表示速度は、確認用画面上で変更が可能である。例えば、速度１に設定されている場合に、図５Ａに示した確認用画面５００において、右矢印ボタン５１３が１回押されると速度１から速度２に、２回目に押されると速度２から速度３に、すなわち、速度が段階的に早くなるように、設定が変更されても良い。左矢印ボタン５１４が押された場合には、速度が段階的に遅くなっても良い。また、最も遅い速度１に設定されている際にさらに左矢印ボタン５１４が押された場合には、表示順が逆順に変更されても良い。
【００９８】
当該表示速度は、制御部１１が確認が完了したか否かを判定する際の基準となる所定の時間である。図１０において、速度１が１０秒に設定されている場合、制御部１１は、１の確認用画面が表示されてから１０秒経過した際に、当該確認用画面の確認が完了したと判定する。
【００９９】
「２．並べ替え」は、表示順番号Ｋが設定される際の基準を読み込み順以外の基準に変更することであり、当該表示設定画面において選択することが可能である。当該並べ替え「読込順」が選択されている場合には読み込み順が基準となる。「日付順」又は「金額順」が選択された際には、上述したように、日付の前後又は金額の大小が基準となる。
【０１００】
「３．表示順序」は、「昇順」又は「降順」の選択ボタンが表示されている。例えば、「並べ替え」で「金額」を選択し、「表示順序」で「降順」を選択した場合に、金額の小さい順に確認用画面を表示させることができる。なお、他の表示設定事項として、一度に表示できる表示枚数を変更できる（図示せず）こととしても良い。
【０１０１】
なお、小切手システムＣＳは、ステップＳ２２において送信された小切手データを含む電文を受信すると、例えば決済に必要な処理を実行する。当該決済は、小切手読み込みルーチンが終了するまでに実行されても良く、小切手読み込みルーチンの終了後に実行されても良い。小切手システムＣＳは、当該決済に必要な処理が実行された結果を含む電文をＡＴＭ１００に送信し、当該結果は明細票に記載されても良く、当該明細票は、終了処理（ステップＳ２３）においてカードと共に排出されても良い。例えば、当該小切手読み込みルーチンが実行に伴って決済が完了した場合に、終了処理時に明細票が発行され、受取人の口座への実際の入金又は受取人による現金の引出しは後日行われるものとしても良い。
【０１０２】
図１１には、図４Ａに示した小切手の例とは異なる種類の小切手の例として、米国でしばしば使用される種類の小切手の一例を示している。図１１において、小切手表面６００には、支払者の氏名及び住所の記載欄６０１、日付欄６０２、支払先欄６０３、金額欄（数値）６０４、金額欄（アルファベット）６０５、支払理由欄６０６、署名欄６０７が設けられ、夫々必要事項が記載されている。なお、小切手認識部１１Ａは、小切手の種類ごとに異なるフィールド又は通貨単位等の、小切手の表面に記載されている内容から、小切手の種類の判定又は言語の判定を行うように構成されていても良い。
【０１０３】
制御部１１は、確認用画面を表示させる際に、文字認識の精度に基づいて、表示の態様を変化させるように構成されていても良い。例えば、文字認識の結果、誤認識がされやすい文字に該当する場合に、当該文字を含む部分の表示の態様を変化させても良い。また、例えば、文字認識の成功率が低い場合に、当該成功率の低い文字について表示の態様を変化させても良い。例えば、当該変化させた表示の態様は、画面上の輝度又は色度の変更を伴うものであっても良く、点滅などの動きを伴うものであっても良い。
【０１０４】
また、制御部１１は、確認用画面を表示させる際に、確認の際に注意を促す態様で表示させても良い。例えば、記載が手書きである場合、金額が一定の桁数以上の場合に、該当箇所を他の箇所よりも目立つ表示（高輝度、点滅、音声を伴うなど）がなされても良い。これによって、確認漏れの防止を図ることができる。また、当該目立つ表示は、確認が必要な項目の各々について、一定時間ずつ、順番になされても良い。確認を円滑に進め、利用者の負担のさらなる軽減を図ることができる。
【０１０５】
また、実施例において、小切手システムＣＳは、ホストコンピュータとは別に設けられている例について説明したが、この限りではない。小切手システムＣＳは、ホストコンピュータ内に設けられていても良い。
【０１０６】
さらに、ＡＴＭ１００は、現金及び小切手を取り扱う自動取引装置として説明したが、この限りでなない。ＡＴＭ１００は、現金の取り扱いはせず、小切手のみを取り扱う装置として構成されていても良い。その場合において、図１に示したような紙幣入出口２２、硬貨入出口２３、図２に示したような現金入出機構２１及び現金格納部２４は設けなくとも良い。
【０１０７】
図３、図４Ａ及び図４Ｂに示したように、実施例において、ＡＴＭ１００の小切手入出機構２５から小切手が取込まれる場合について説明したが、この限りではない。ＡＴＭ１００は、小切手に限らず、手形又は他の有価証券にも適用することができる。
【０１０８】
また、実施例では、図５Ａに示すように、確認用画面上に、媒体１枚の画像５０２、５０３及び文字データが表示され、ユーザによる確認が行われる場合を例に挙げて説明したが、かかる例に限定されず、例えば、確認用画面上に、２枚以上の媒体各々の画像５０２、５０３及び文字データが表示され、ユーザによる確認が行われる場合でも良い。また、その際、ユーザによる確認若しくは所定時間経過した場合、確認画面上には、既に表示された２枚以上の媒体とは異なる１又は２以上の媒体各々の画像５０２、５０３及び文字データが表示され、必要に応じて修正される。
【０１０９】
以上、説明したように、本発明の自動取引装置及び自動取引方法によれば、媒体の記載内容を読み込んだ結果について、媒体の画像及び文字認識結果を含む確認用画面を所定の順序で、所定の時間が経過する毎に自動的に表示することができる。また、当該所定の時間毎に表示する際の表示速度及び所定の順序で表示する際の順序を必要に応じて設定することができる。さらに、必要に応じて、当該文字認識結果の修正を受け付けることができる。従って、媒体を使用する取引において、利用者の負担を軽減し、利便性を向上することができる。
【符号の説明】
【０１１０】
１００      ＡＴＭ
２００      自動取引システム
１０１      筐体
１１        制御部
１１Ａ      小切手認識部
１３        記憶部
１５        通信部
１７        通帳記帳機
１８        通帳挿入排出口
１９        カード読取印刷機
２０        カード挿入排出口
２１        現金入出機構
２２        紙幣入出口
２３        硬貨入出口
２４        現金格納部
２５        小切手入出機構
２６        小切手入出口
２７        撮像部
２９        ユーザインターフェース部
２９Ａ      ディスプレイ
２９Ｂ      タッチパッド
３１        小切手一時保留部
３３        小切手格納部
【図１】
2019046290.tif 000003
【図２】
2019046290.tif 000004
【図３】
2019046290.tif 000005
【図４Ａ】
2019046290.tif 000006
【図４Ｂ】
2019046290.tif 000007
【図５Ａ】
2019046290.tif 000008
【図５Ｂ】
2019046290.tif 000009
【図６Ａ】
2019046290.tif 000010
【図６Ｂ】
2019046290.tif 000011
【図７】
2019046290.tif 000012
【図８】
2019046290.tif 000013
【図９Ａ】
2019046290.tif 000014
【図９Ｂ】
2019046290.tif 000015
【図９Ｃ】
2019046290.tif 000016
【図１０】
2019046290.tif 000017
【図１１】
2019046290.tif 000018